(57)【要約】【課題】三脚用ネジ穴を備えつつ本体を薄型化する。【解決手段】本体１２にスライド式のカバー１４を備えた撮影装置１０において、本体１２とカバー１４の底面に三脚用ネジ穴２６を分割して形成する。【選択図】      図３
2007281621.tif 000002
【特許請求の範囲】
【請求項１】
扁平状に形成された本体の裏面に操作部が配置された撮影装置において、
前記本体の端部に設けられたヒンジを介して前記本体の裏面に開閉自在に設けられたカバーと、
前記ヒンジの両端部にそれぞれ形成された三脚用ネジ穴と、
を備えたことを特徴とする撮影装置。
【請求項２】
前記本体の上面及び下面にシャッタボタンが配置されたことを特徴とする請求項１に記載の撮影装置。
【請求項３】
扁平状に形成された本体の裏面に操作部が配置された撮影装置において、
前記本体の裏面にスライド自在に設けられ、所定の携帯位置にスライドして前記操作部を覆うとともに、所定の使用位置にスライドして前記操作部を露出させるカバーと、
前記本体と前記カバーに分割して形成され、前記カバーを前記使用位置にスライドさせることにより一体化される三脚用ネジ穴と、
を備えたことを特徴とする撮影装置。
【請求項４】
前記カバーにモニタを備えたことを特徴とする請求項１、２又は３に記載の撮影装置。
【発明の詳細な説明】
【技術分野】
【０００１】
本発明は撮影装置に係り、特に本体が前後方向に薄い扁平状に形成された撮影装置に関する。
【背景技術】
【０００２】
一般にカメラの本体の底面には、三脚用ネジ穴が形成されており、この三脚用ネジ穴を利用して、カメラを三脚に固定できるようにされている。通常、この三脚用ネジ穴は、ＪＩＳ規格（ＪＩＳ  Ｂ７１０３）に準拠して形成され、呼び１／４の雌ネジが形成される。
【０００３】
しかし、このような三脚用ネジ穴をカメラに形成することとすると、その分の設置スペースをカメラ内部に確保しなければならず、カメラを小型化する際の妨げとなっていた。
【０００４】
そこで、特許文献１では、カメラのストラップにＣ字形の尾錠を設け、カメラを三脚に取り付ける際、この尾錠をカメラと三脚の雲台との間に介在させることにより、カメラに形成する三脚用ネジ穴の深さを低減させることが提案されている。
【特許文献１】特開平１１−３８４９９号公報
【発明の開示】
【発明が解決しようとする課題】
【０００５】
しかしながら、特許文献１の方法では、三脚用ネジ穴の深さは浅くできても、穴の内径は変えられないので、薄型化には寄与できないという欠点がある。特に、近年、コンパクトタイプの撮影装置は薄型化の傾向にあり、三脚用ネジ穴を形成すると、その分の設置スペースを厚さ方向（前後方向）に確保しなければならず、薄型化に限界が生じるという欠点がある。
【０００６】
本発明は、このような事情に鑑みてなされたもので、三脚用ネジ穴を備えつつ本体を薄型化できる撮影装置を提供することを目的とする。
【課題を解決するための手段】
【０００７】
請求項１に係る発明は、前記目的を達成するために、扁平状に形成された本体の裏面に操作部が配置された撮影装置において、前記本体の端部に設けられたヒンジを介して前記本体の裏面に開閉自在に設けられたカバーと、前記ヒンジの両端部にそれぞれ形成された三脚用ネジ穴と、を備えたことを特徴とする撮影装置を提供する。
【０００８】
請求項１に係る発明によれば、いわゆる折り畳み式のカバーを備えた撮影装置において、本体とカバーとを連結するヒンジの両端に三脚用ネジ穴が形成される。これにより、本体に三脚用ネジ穴を設置するためのスペースを確保する必要がなくなり、三脚用ネジ穴によって制限されることなく、可能な限り本体を薄型化することができるようになる。
【０００９】
請求項２に係る発明は、前記目的を達成するために、前記本体の上面及び下面にシャッタボタンが配置されたことを特徴とする請求項１に記載の撮影装置を提供する。
【００１０】
請求項２に係る発明によれば、請求項１に係る撮影装置において、本体の上面及び下面にシャッタボタンが配置される。これにより、右利き／左利き、双方のユーザの使用が可能になり、三脚使用時にも双方のユーザの使用が可能になる。
【００１１】
請求項３に係る発明は、前記目的を達成するために、扁平状に形成された本体の裏面に操作部が配置された撮影装置において、前記本体の裏面にスライド自在に設けられ、所定の携帯位置にスライドして前記操作部を覆うとともに、所定の使用位置にスライドして前記操作部を露出させるカバーと、前記本体と前記カバーに分割して形成され、前記カバーを前記使用位置にスライドさせることにより一体化される三脚用ネジ穴と、を備えたことを特徴とする撮影装置を提供する。
【００１２】
請求項３に係る発明によれば、いわゆるスライド式のカバーを備えた撮影装置において、三脚用ネジ穴が、本体とカバーとに分割して形成されており、カバーを所定の使用位置にスライドさせるとことにより、一体化されて三脚用ネジ穴として使用可能になる。これにより、本体の厚さ方向に要求される三脚用ネジ穴の設置スペースを削減でき、本体を薄型化することができるようになる。
【００１３】
請求項４に係る発明は、前記目的を達成するために、前記カバーにモニタを備えたことを特徴とする請求項１、２又は３に記載の撮影装置を提供する。
【００１４】
請求項４に係る発明によれば、請求項１、２又は３に係る撮影装置において、カバーにモニタが備えられる。これにより、本体側にモニタを設置する必要がなくなり、大画面のモニタを撮影装置に取り付けることができるようになる。
【発明の効果】
【００１５】
本発明に係る撮影装置によれば、三脚用ネジ穴を備えつつ本体を薄型化することができる。
【発明を実施するための最良の形態】
【００１６】
以下、添付図面を参照して本発明に係る撮影装置を実施するための最良の形態について説明する。
【００１７】
図１は、本発明に係る撮影装置の第１の実施の形態の外観構成を示す正面斜視図である。また、図２は、図１に示した撮影装置の携帯時における背面斜視図であり、図３は、使用時における背面斜視図である。
【００１８】
この撮影装置１０は、画像を電気的に記録するデジタルカメラであって、図１〜図３に示すように、矩形の板状に形成された本体１２と、その本体１２の裏面を覆うスライド式のカバー１４とで構成されている。
【００１９】
カバー１４は、本体１２と同じ矩形の板状に形状に形成されており、本体１２の裏面を横方向にスライド自在に設けられている。そして、図２に示す「携帯位置」と図３に示す「使用位置」との間をスライドして、本体１２の裏面を開閉自在に設けられている。なお、携帯位置と使用位置に位置したカバー１４は、図示しない係止手段によって係止され、一定以上のスライド力が付与されない限り、携帯位置又は使用位置に保持されるように構成されている。
【００２０】
本体１２の前面には、図１に示すように、撮影レンズの開口部（被写体光の入射部）１６、ストロボ１８等が設けられている。
【００２１】
撮影レンズには、本体１２の薄型化が可能なものが用いられており、たとえば、屈折光学式のズームレンズや単焦点レンズ、固定焦点レンズ等が用いられている。なお、本実施の形態の撮影装置１０では、屈折光学式のズームレンズが用いられており、本体１２の右上端に開口部１６が設けられている。この開口部１６から入射した被写体光は、開口部１６の内側に配置されたプリズム又はミラーによって下向きに屈折され、本体内の底部に配置された図示しない撮像素子の受光面上に結像される。
【００２２】
本体１２の上面には、図１に示すように、レリーズボタン２０が設けられている。なお、本実施の形態の撮影装置１０は、右利き用の撮影装置として構成されており、レリーズボタン２０は、本体１２を右手で把持した際、その右手人指し指で無理なく操作可能なように、本体１２の上面やや左端寄りの位置に配置されている。
【００２３】
本体１２の背面には、図３に示すように、右端の位置に操作部２２が設けられている。この操作部２２は、電源ボタン２２ａ、ズームボタン２２ｂ、十字ボタン２２ｃ、ＯＫボタン２２ｄ、メニューボタン２２ｅ、キャンセルボタン２２ｆ、ファンクションボタン２２ｇ等の各種操作ボタンで構成されており、カバー１４を使用位置にスライドさせることにより露出する。すなわち、図３に示すように、カバー１４を使用位置にスライドさせることにより露出し、図２に示すように、携帯位置にスライドさせることによりカバー１４に覆われる。
【００２４】
カバー１４には、図２及び図３に示すように、カバー１４のほぼ全面を占めるようにモニタ２４が設けられている。このモニタ２４は、撮影済み画像を再生表示するための表示モニタとして使用される他、各種設定用のメニュー画面が表示されて、ユーザインタフェースとして使用される。また、撮影時には、スルー画像が表示されて、電子ファインダとして使用される。
【００２５】
なお、モニタ２４には、カバー１４の薄型化が可能なフラットパネルディスプレイが用いられており、たとえば、カラー表示が可能なＬＣＤや有機ＥＬパネル等が用いられている。なお、本例では、カラーＬＣＤが用いられている。
【００２６】
本体１２とカバー１４の底面には、図１〜図３に示すように、三脚用ネジ穴２６が形成されている。この三脚用ネジ穴２６は、二分割して形成されており、一方の分割体２６Ａが本体１２、他方の分割体２６Ｂがカバー１４に形成されている。そして、図３に示すように、カバー１４を使用位置にスライドさせることにより、双方の分割体２６Ａ、２６Ｂが一体化し、三脚用ネジ穴２６を構成する。
【００２７】
なお、本実施の形態では、本体１２の中央に三脚用ネジ穴２６が配置されるように、本体側に形成する三脚用ネジ穴２６の分割体２６Ａを本体１２の底面中央に形成している。カバー１４の底面に形成する三脚用ネジ穴２６の分割体２６Ｂは、カバー１４を使用位置にスライドさせることにより一体化する位置に形成される。本実施の形態では、図２に示すように、カバー１４の底面の右端に形成される。
【００２８】
第１の実施の形態の撮影装置１０は、以上のように構成される。この撮影装置１０の作用は、次のとおりである。
【００２９】
上記のように本実施の形態の撮影装置１０は、本体１２の裏面にスライド式のカバー１４が設けられており、このカバー１４を使用位置にスライドさせることにより、図３に示すように、本体１２の裏面に設けられた操作部２２が露出し、操作可能な状態になる。
【００３０】
また、このカバー１４を使用位置にスライドさせることにより、図３に示すように、本体１２の底面に形成された三脚用ネジ穴２６の分割体２６Ａと、カバー１４の底面に形成された三脚用ネジ穴２６の分割体２６Ｂとが一体化し、三脚用ネジ穴２６を構成する。これにより、撮影装置１０を三脚に固定することが可能になる。
【００３１】
図４は、第１の実施の形態の撮影装置の三脚使用時の状態を示す斜視図である。同図に示すように、一体化した三脚用ネジ穴２６に三脚１００の雲台１０２に設けられた三脚用ネジ１０４を螺合させることにより、撮影装置１０を三脚１００の雲台１０２に取り付けることができる。
【００３２】
以上説明したように、本実施の形態の撮影装置１０によれば、三脚用ネジ穴２６が本体１２とカバー１４とに分割して形成され、カバー１４を所定の使用位置にスライドさせることにより一体化される。このように、三脚用ネジ穴２６を分割して形成することにより、本体１２とカバー１４の双方を薄型化することができ、全体の厚さも薄型化することができる。すなわち、分割せずに本体とカバーのいずれか一方に三脚用ネジ穴を形成しようとすると、その分の厚さを本体又はカバーに確保しなければならず、必要以上に厚さが増すことになる。一方、本実施の形態の撮影装置１０のように、三脚用ネジ穴２６を本体１２とカバー１４に分割して形成することにより、各ユニットに要求される厚さを薄くでき、必要以上に厚さが増すことを防止することができる。
【００３３】
また、このように各ユニットに要求される厚さを薄くできることにより、デザインの自由度が増し、デザイン的に優れたものを提供することもできるようになる。
【００３４】
なお、本実施の形態では、三脚用ネジ穴２６を二等分割し、一方の分割体２６Ａを本体１２、他方の分割体２６Ｂをカバー１４に形成しているが、三脚用ネジ穴２６の分割方法は、これに限定されるものではなく、本体１２とカバー１４の厚さに応じて適宜設定することが好ましい。たとえば、カバーに比して本体の厚さが厚い場合には、本体側に形成する分割体の割合を増やして形成するようにしてもよい。
【００３５】
また、本実施の形態では、カバー１４が本体１２に対して横方向にスライドする場合を例に説明したが、図５に示すように、カバー１４が本体１２に対して上下方向にスライドするように構成してもよい。この場合、三脚用ネジ穴２６は、本体１２とカバー１４の側面に分割して形成する。すなわち、一方の分割体２６Ａを本体１２の側面に形成し、他方の分割体２６Ｂをカバー１４の側面に形成する。そして、図５（ｂ）に示すように、カバー１４を使用位置にスライドさせると、一体化するように構成する。
【００３６】
また、本実施の形態では、本体１２に撮影レンズを設置し、本体１２の正面に撮影レンズの開口部１６を形成しているが、カバー１４に撮影レンズを配置する構成としてもよい。この場合、図６に示すように、カバー１４を使用位置にスライドさせた際、本体１２から露出する領域に撮影レンズの開口部１６を形成することが好ましい。これにより、撮影レンズの開口部１６を本体１２で覆うことができ、携帯時に撮影レンズが傷つくのを防止することができる。
【００３７】
また、本実施の形態では、操作部２２に電源ボタン２２ａを設置しているが、カバー１４の開閉に連動して電源がＯＮ／ＯＦＦする構成にしてもよい。この場合、操作部２２の電源ボタン２２ａを主電源として残すようにしてもよい。
【００３８】
また、本実施の形態では、カバー１４にモニタ２４を設けているが、モニタ２４は必ずしも必要な構成ではない。また、モニタ２４を設置する場合には、本体側に設置する構成としてもよい。さらに、光学式のファインダを備えている場合には、簡略的なモニタ（たとえば、文字のみが表示可能な液晶等）を設置するようにしてもよい。
【００３９】
図７、図８は、それぞれ本発明に係る撮影装置の第２の実施の形態の外観構成を示す背面斜視図であり、図７は携帯状態、図８は使用状態を示している。
【００４０】
この撮影装置５０は、画像を電気的に記録するデジタルカメラであって、図７、図８に示すように、矩形の板状に形成された本体５２と、その裏面を覆う折り畳み式のカバー５４とで構成されている。
【００４１】
カバー５４は、本体１２と同じ矩形の板状に形成されており、ヒンジ５６によって本体５２の左端部に連結されている。そして、このヒンジ５６によって横方向に揺動自在に支持されることにより、本体５２の裏面を開閉する。なお、カバー５４は、図示しないストッパによって揺動範囲が規制されており、図７に示す「携帯位置」と図８に示す「使用位置」との間を揺動可能に支持されている。
【００４２】
ここで、この撮影装置５０は、左右いずれの手によっても操作可能に形成されており、その上面及び下面には、それぞれ右利き用レリーズボタン５８Ｒと、左利き用レリーズボタン５８Ｌとが設けられている。
【００４３】
右利き用レリーズボタン５８Ｒは、本体５２の右端部（ヒンジ５６と逆側の端部）を右手で把持した際、その右手人指し指で無理なく操作可能な位置に配置されており、本体５２の上面やや右端寄りの位置に配置されている。
【００４４】
一方、左利き用レリーズボタン５８Ｌは、本体５２の右端部を左手で把持した際、その右手人指し指で無理なく操作可能な位置に配置されており、本体５２の下面やや右端寄りの位置に配置されている。
【００４５】
本体５２の前面には、図７に示すように、撮影レンズの開口部（被写体光の入射部）６０、ストロボ６２等が設けられている。
【００４６】
撮影レンズには、本体５２の薄型化が可能なものが用いられており、たとえば、屈折光学式のズームレンズや単焦点レンズ、固定焦点レンズ等が用いられている。なお、本実施の形態の撮影装置５０では、単焦点レンズが用いられており、図７に示すように、本体５２の左端中央に開口部６０が設けられている。この開口部６０から入射した被写体光は、撮影レンズによって本体内に配置された図示しない撮像素子の受光面上に結像される。
【００４７】
本体５２の背面には、図８に示すように、操作部６４が設けられている。この操作部６４は、電源ボタン６４ａ、ズームボタン６４ｂ、十字ボタン６４ｃ、ＯＫボタン６４ｄ、メニューボタン６４ｅ、キャンセルボタン６４ｆ、ファンクションボタン６４ｇ等の各種操作ボタンで構成されており、カバー５４を開くことにより露出する。
【００４８】
なお、本例では、図８に示すように、十字ボタン６４ｃとＯＫボタン６４ｄが、本体１２の裏面左側の中央に配置され、ズームボタン６４ｂが、本体１２の裏面右側の中央に配置される。そして、そのズームボタン６４ｂを挟んで電源ボタン６４ａ、メニューボタン６４ｅ、キャンセルボタン６４ｆ、ファンクションボタン６４ｇが上下に並列して配置される。これにより、左右いずれの手で本体１２を把持した場合であっても、同じ操作感覚でズーム操作を行うことが可能になる。
【００４９】
カバー５４の内側には、図８に示すように、カバー１４の内側面のほぼ全面を占めるようにモニタ６６が設けられている。このモニタ６６は、撮影済み画像を再生表示するための表示モニタとして使用される他、各種設定用のメニュー画面が表示されて、ユーザインタフェースとして使用される。また、撮影時には、スルー画像が表示されて、電子ファインダとして使用される。
【００５０】
なお、モニタ６６には、カバー５４の薄型化が可能なフラットパネルディスプレイが用いられており、たとえば、カラー表示が可能なＬＣＤや有機ＥＬパネル等が用いられている。なお、本例では、カラーＬＣＤが用いられている。
【００５１】
ヒンジ５６の両端には、図７、図８に示すように、三脚用ネジ穴６８Ｒ、６８Ｌが形成されている。この三脚用ネジ穴６８Ｒ、６８Ｌは、ヒンジ５６の揺動軸上に所定の深さをもって形成されている。
【００５２】
第２の実施の形態の撮影装置５０は、以上のように構成される。この撮影装置５０の作用は、次のとおりである。
【００５３】
上記のように本実施の形態の撮影装置５０は、本体５２の裏面に折り畳み式のカバー５４が設けられており、このカバー５４を開くことにより、図８に示すように、本体５２の裏面に設けられた操作部６４が露出し、操作可能な状態になる。
【００５４】
また、ヒンジ５６の両端に三脚用ネジ穴６８Ｒ、６８Ｌが形成されているので、この三脚用ネジ穴６８Ｒ、６８Ｌを利用することにより、撮影装置５０を三脚に固定することができる。
【００５５】
図９は、第２の実施の形態の撮影装置の三脚使用時の状態を示す斜視図である。同図に示すように、ヒンジ５６の両端に形成された三脚用ネジ穴６８Ｒ、６８Ｌに三脚１００の雲台１０２に設けられた三脚用ネジ１０４を螺合させることにより、撮影装置５０を三脚１００の雲台１０２に取り付けることができる。
【００５６】
なお、上下いずれの三脚用ネジ穴６８Ｒ、６８Ｌを使用するかは、ユーザの利き手に拠る。すなわち、右利きのユーザの場合は、右利き用レリーズボタン５８Ｒを使用して撮影するので、図９（ａ）に示すように、ヒンジ５６の下端に設けられた三脚用ネジ穴６８Ｒを使用して、三脚１００に取り付ける。一方、左利きのユーザの場合は、左利き用レリーズボタン５８Ｌを使用して撮影するので、図９（ｂ）に示すように、ヒンジ５６の上端に設けられた三脚用ネジ穴６８Ｌを使用して、三脚１００に取り付ける。これにより、右利き／左利きのユーザが同じ操作感覚で三脚１００を用いた撮影を行うことができる。
【００５７】
以上説明したように、本実施の形態の撮影装置５０によれば、レリーズボタンを本体５２の上下に配置するとともに、三脚用ネジ穴をヒンジ５６の両端に形成することにより、通常撮影のみならず三脚撮影時も右利き／左利きのユーザが同じ操作感覚で操作することができ、使い勝手が向上する。
【００５８】
また、三脚用ネジ穴を本体５２又はカバー５４に形成するのではなく、ヒンジ５６に形成することにより、本体５２とカバー５４の双方を薄型化することができる。すなわち、本体５２又はカバー５４に三脚用ネジ穴を形成しようとすると、その分の厚さを本体５２又はカバー５４に確保しなければならず、必要以上に厚さが増すことになる。一方、本実施の形態の撮影装置５０のように、三脚用ネジ穴をヒンジ５６に形成することにより、本体５２又はカバー５４に三脚用ネジ穴を設置するためのスペースを用意する必要がなくなり、可能な限り薄型化を図ることができるようになる。
【００５９】
また、このように本体５２、カバー５４を薄型化できることにより、デザインの自由度が増し、デザイン的に優れたものを提供することもできるようになる。
【００６０】
なお、本実施の形態では、本体５２に撮影レンズを設置し、本体５２の正面に撮影レンズの開口部６０を形成しているが、図１０に示すように、カバー５４に撮影レンズを配置し、カバー５４の外側面に撮影レンズの開口部６０を形成する構成としてもよい。また、図１１に示すように、ヒンジ５６の中央部５６Ａを回転自在に形成し、そのヒンジ５６の中央部５６Ａに撮影レンズを配置する構成としてもよい。撮影レンズの開口部６０を回転できるように構成してもよい。
【００６１】
また、図１２に示すように、カバー５４をヒンジ５６の回転軸と直交する軸周りに回転自在に支持し、カバー５４の設置角度を任意に設定できるようにしてもよい。これにより、モニタ６６の設置角度を変更でき、使い勝手がより向上する。
【００６２】
また、本実施の形態では、操作部６６に電源ボタン６６ａを設置しているが、カバー５４の開閉に連動して電源がＯＮ／ＯＦＦする構成にしてもよい。この場合、操作部６４の電源ボタン６４ａを主電源として残すようにしてもよい。
【００６３】
なお、本実施の形態では、カバー５４にモニタ６６を設けているが、モニタ６６は必ずしも必要なものではない。また、モニタを設置する場合には、本体側に設置する構成としてもよい。さらに、光学式のファインダを備えている場合には、簡略的なモニタ（たとえば、文字のみが表示可能な液晶等）を設置するようにしてもよい。
【００６４】
また、図１３に示すように、カバー５４の外側面にもモニタ７０を設置するようにしてもよい。これにより、カバー５４を折り畳んだ状態でも撮影が可能になる。なお、この場合、同図に示すように、カバー５４の外側に設置するモニタ７０は小型のものとしてもよい。
【００６５】
また、本実施の形態では、左右いずれの手でもレリーズ操作できるように、レリーズボタンを本体５２の上下に設けているが、レリーズボタンの配置は、これに限定されるものではない。たとえば、本体５２の上面にのみレリーズボタンを配置するようにしてもよい。また、本体５２の上面又は下面にはレリーズボタンを設けず、ＯＫボタン６４ｄにレリーズボタンの機能を割り当てるようにしてもよい。この場合、十字ボタン６４ｃの右キー及び左キーにズームボタンの機能を割り当てるようにしてもよい。また、ユーザが任意にボタンの機能を割り当てられるようにしてもよい。
【００６６】
また、二つのレリーズボタン５８Ｒ、５８Ｌのうち一方のみを有効にし、他方を無効に設定できるようにしてもよい。また、無効にしたレリーズボタンに他の機能を割り当てられるようにしてもよい。
【００６７】
なお、左手で操作した場合、本体５２の天地が逆転することから、これに合わせて記録画像の向きを自動で切り替えることが好ましい。たとえば、本体５２の姿勢を検出する検出手段を本体５２に設け、その検出手段で本体５２の天地が逆転したことが検出されると、自動で記録画像の向きを切り替えるように構成する。また、手動で記録画像の向きを切り替えられるようにしてもよい。
【００６８】
また、本実施の形態の撮影装置５０は、ヒンジ５６の両端に三脚用ネジ穴６８Ｒ、６８Ｌを備えているので、この三脚用ネジ穴６８Ｒ、６８Ｌを利用して、アクセサリを装着するようにしてもよい。
【００６９】
たとえば、図１４に示すように、撮影装置５０にテレビ機能（テレビの放送電波を受信し、モニタ６６に表示する機能）を付加した場合において、本体５２に外部アンテナ８０の接続端子８２を設けて外部アンテナ８０を接続可能に形成する。一方、外部アンテナ８０には、接続端子８２に接続するためのコネクタ８４を形成するとともに、三脚用ネジ８６を設け、三脚用ネジ穴６８Ｒ、６８Ｌに取り付け可能に形成する。これにより、外部アンテナ８０がじゃまにならずに取り付けられる。また、図１５に示すように、本体５２を三脚１００に固定しつつ外部アンテナ８０を本体５２に取り付けることもできる。
【００７０】
この他、また、図１６に示すように、本体５２にシンクロターミナル９２を形成して外部ストロボ９０を接続可能に形成した場合において、外部ストロボ９０に三脚用ネジ９４を設けて、三脚用ネジ穴６８Ｒ、６８Ｌに取り付け可能に形成する。これにより、別途、ストロボマウントを設けなくても、外部ストロボ９０を取り付けられるようになる。また、デザイン的にも優れたものにすることができる。
【００７１】
また、本実施の形態では、本体５２の左端部に設けられたヒンジ５６を介してカバー５４を横方向に開閉自在に設けているが、たとえば、図１７に示すように、本体５６の上端部にヒンジ５６を設け、カバー５４を縦方向に開閉自在に設けてもよい。この場合、三脚用ネジ穴６８Ｒ、６８Ｌは、ヒンジ５６の左右両端にそれぞれ形成する。また、たとえば、レリーズボタン５８Ｒ、５８Ｌは、本体５２の上面と、カバー５４を開いたときのカバー５４の下面に形成する。
【００７２】
なお、上記一連の実施の形態では、本発明をデジタルカメラに適用した場合を例に説明したが、本発明は、これに限定されるものではなく、カメラ付き携帯電話機やビデオカメラ等にも同様に適用することができる。
【００７３】
また、操作部を構成する各種操作ボタンの種類、レイアウト等は、本実施の形態のものに限定されるものではなく、撮影装置の有する機能等に応じて適宜選択して配置することが好ましい。
【図面の簡単な説明】
【００７４】
【図１】第１の実施の形態の撮影装置の正面斜視図
【図２】第１の実施の形態の撮影装置の携帯時における背面斜視図
【図３】第１の実施の形態の撮影装置の使用時における背面斜視図
【図４】第１の実施の形態の撮影装置の三脚使用時の状態を示す斜視図
【図５】撮影装置の他の実施の形態の背面斜視図
【図６】撮影装置の他の実施の形態の正面斜視図
【図７】第２の実施の形態の撮影装置の携帯時における背面斜視図
【図８】第２の実施の形態の撮影装置の使用時における背面斜視図
【図９】第２の実施の形態の撮影装置の三脚使用時の状態を示す斜視図
【図１０】撮影装置の他の実施の形態の背面斜視図
【図１１】撮影装置の他の実施の形態の背面斜視図
【図１２】撮影装置の他の実施の形態の背面斜視図
【図１３】撮影装置の他の実施の形態の正面斜視図
【図１４】撮影装置の他の実施の形態の背面斜視図
【図１５】撮影装置の他の実施の形態の背面斜視図
【図１６】撮影装置の他の実施の形態の正面斜視図
【図１７】撮影装置の他の実施の形態の正面斜視図
【符号の説明】
【００７５】
１０…撮影装置、１２…本体、１４…カバー、１６…撮影レンズの開口部、１８…ストロボ、２０…レリーズボタン、２２…操作部、２４…モニタ、２６…三脚用ネジ穴、２６Ａ、２６Ｂ…三脚用ネジ穴の分割体、５０…撮影装置、５２…本体、５４…カバー、５６…ヒンジ、５８Ｒ…右利き用レリーズボタン、５８Ｌ…左利き用レリーズボタン、６０…撮影レンズの開口部、６２…ストロボ、６４…操作部、６６…モニタ、６８Ｒ、６８Ｌ…三脚用ネジ穴、７０…モニタ、８０…外部アンテナ、９０…外部ストロボ、１００…三脚、１０２…雲台、１０４…三脚用ネジ
【図１】
2007281621.tif 000003
【図２】
2007281621.tif 000004
【図３】
2007281621.tif 000005
【図４】
2007281621.tif 000006
【図５】
2007281621.tif 000007
【図６】
2007281621.tif 000008
【図７】
2007281621.tif 000009
【図８】
2007281621.tif 000010
【図９】
2007281621.tif 000011
【図１０】
2007281621.tif 000012
【図１１】
2007281621.tif 000013
【図１２】
2007281621.tif 000014
【図１３】
2007281621.tif 000015
【図１４】
2007281621.tif 000016
【図１５】
2007281621.tif 000017
【図１６】
2007281621.tif 000018
【図１７】
2007281621.tif 000019